(57)【要約】【課題】電子装置におけるタッチパッド、ディスプレイ、及びジョイスティックの配置。【解決手段】本願の一群の発明は電子工学の分野に属する。電子装置はセンサパネル及び／又はディスプレイ及び／又はジョイスティックを備える。センサパネル及び／又はディスプレイ及び／又はジョイスティックは、電子装置の本体の正面及び／又は背面又は側面に配置されてもよく、電子装置の本体の周りを移動可能である。また、センサパネル及び／又はディスプレイ及び／又はジョイスティックは、電子装置の本体の３つ以上の面に配置可能である。センサパネル及び／又はディスプレイ及び／又はジョイスティックは、保護カバーを有するか、又は、保護カバーの代わりをするか、又は、光カメラ及び／又はビデオカメラレンズの保護カバー上に配置される。【選択図】なし【特許請求の範囲】
【請求項１】
１つのタッチパッド、１つのタッチスクリーン式のディスプレイ、又は１つのジョイスティックの配置を含む、電子装置におけるタッチパッド、ディスプレイ、及びジョイスティックの配置であって、
１）１つ以上のタッチパッド又は１つのタッチパッドの少なくとも一部（１セクタ）或いは１つ以上のジョイスティック又は１つのジョイスティックの少なくとも一部を、これらが機能するべく、前記電子装置の本体の背面に配置するとともに、
前記電子装置のユーザが、当該１つ以上のタッチパッド又は当該１つのタッチパッドの少なくとも一部（１セクタ）或いは当該１つ以上のジョイスティック又は当該１つのジョイスティックの少なくとも一部の操作を通じて、１つ以上のディスプレイに表示された１つ以上の仮想シンボルを制御するべく、当該１つ以上のディスプレイを前記電子装置の本体の正面に配置するか、又は
２）タッチパッド又はタッチパッドの一部（１セクタ）或いはジョイスティックを前記電子装置の本体の背面に部分的に配置するか、又は
３）それ自体が１つ以上の屈曲部を有するタッチパッド又はタッチパッドの一部（１セクタ）を前記電子装置の本体の側面及び背面の双方に配置するか、又は
４）タッチパッド又はタッチパッドの一部（１セクタ）を前記電子装置の本体の正面、側面、及び背面の夫々に配置するか、又は
５）ジョイスティックを前記電子装置の本体の側面に配置するか、又は
６）タッチパッド又はタッチパッドの一部（１セクタ）或いはジョイスティックを前記電子装置の本体に沿って動くように構成するか、又は
７）タッチパッド又はタッチパッドの一部或いはタッチスクリーン式のディスプレイ上に、前記電子装置の本体の正面に配置された１つ以上のディスプレイに表示された１つ以上の仮想シンボルを制御するための１つ以上のセクタを形成し、及び／又は
ａ）タッチパッド又はタッチパッドの一部（１セクタ）を部分的又は全体的に凸形状に構成し、及び／又は
ｂ）タッチパッド又はタッチパッドの一部（１セクタ）或いはジョイスティックをカバーで保護し、及び／又は
ｃ）タッチパッド又はタッチパッドの一部（１セクタ）或いはジョイスティックを、カメラレンズ及び／又は一体型ビデオカメラレンズの保護カバーの代わりとするか、又は、カメラレンズ及び／又は一体型ビデオカメラレンズの保護カバー上に配置する
ことを特徴とする電子装置におけるタッチパッド、ディスプレイ、及びジョイスティックの配置。
【請求項２】
タッチパッド又はタッチパッドの一部（１セクタ）或いはジョイスティックは、ユーザが利用できるように、前記電子装置の本体の背面に対し、取り付けられる或いは部分的又は全体的に組み込まれる
ことを特徴とする請求項１に記載の電子装置におけるタッチパッド、ディスプレイ、及びジョイスティックの配置。
【請求項３】
タッチパッド又はタッチパッドの一部（１セクタ）或いはジョイスティックは、前記電子装置の背面を部分的又は全体的に亘って配置され、
タッチパッド又はタッチパッドの一部或いはジョイスティックは、前記電子装置の本体に対し、既知の技術で接続されている
ことを特徴とする請求項１又は２に記載の電子装置におけるタッチパッド、ディスプレイ、及びジョイスティックの配置。
【請求項４】
タッチパッド又はタッチパッドの一部（１セクタ）或いはジョイスティックと電子装置とは、有線の接続及び／又は電波又は別の無線の通信を介して、機能上の相互連絡をする
ことを特徴とする請求項１に記載の電子装置におけるタッチパッド、ディスプレイ、及びジョイスティックの配置。
【請求項５】
ノートパソコン又はネットブックは、当該ノートパソコン又はネットブックの本体の下面に、タッチパッド又はタッチパッドの一部（１セクタ）或いはジョイスティックを配置する
ことを特徴とする請求項１に記載の電子装置におけるタッチパッド、ディスプレイ、及びジョイスティックの配置。
【請求項６】
タッチパッド又はタッチパッドの一部或いはタッチスクリーン式のディスプレイのいずれかのセクタの表面面積は、タッチパッド又はタッチスクリーン式のディスプレイ自体の表面面積より小さく、
タッチパッドのセクタ又はタッチスクリーン式のディスプレイのセクタの数及びサイズ、配置、構成、並びに操作アルゴリズムは、既知の技術を通じて変更される
ことを特徴とする請求項１に記載の電子装置におけるタッチパッド、ディスプレイ、及びジョイスティックの配置。
【請求項７】
前記電子装置の本体の正面のディスプレイの表面面積は、当該電子装置の本体の背面に配置されたタッチパッド又はタッチスクリーン式のディスプレイの表面面積以上である
ことを特徴とする請求項１に記載の電子装置におけるタッチパッド、ディスプレイ、及びジョイスティックの配置。
【請求項８】
前記セクタ及び／又はセクタが形成されたタッチスクリーン式のディスプレイは、照明を部分的又は全体的にオフする、或いは、照明を別の省エネモードに変更する、という選択肢を有する
ことを特徴とする請求項１又は６に記載の電子装置におけるタッチパッド、ディスプレイ、及びジョイスティックの配置。
【請求項９】
タッチパッド又はタッチパッドの一部（１セクタ）を環境暴露から保護するべく、追加のディスプレイが前記電子装置に設けられ、タッチパッドにアクセスするべく当該追加のディスプレイが脇へ移動する
ことを特徴とする請求項１に記載の電子装置におけるタッチパッド、ディスプレイ、及びジョイスティックの配置。
【請求項１０】
１つのタッチパッド、１つのタッチスクリーン式のディスプレイ、又は１つのジョイスティックの配置を含む、電子装置におけるタッチパッド、ディスプレイ、及びジョイスティックの配置であって、
電子装置における相対する２つの面及び１つ以上の側面たる、本体の３つ以上の面に対し、部分的又は全体的にタッチスクリーン式のディスプレイである１つのディスプレイを配置し、
当該ディスプレイに表示された１つ以上の仮想シンボルは当該タッチスクリーン式のディスプレイ上の操作により制御される
ことを特徴とする電子装置におけるタッチパッド、ディスプレイ、及びジョイスティックの配置。
【請求項１１】
制御される１つ以上の仮想シンボルは、前記電子装置における前記操作を行う面と相対する面に配置された前記ディスプレイの部分に表示される
ことを特徴とする請求項１０に記載の電子装置におけるタッチパッド、ディスプレイ、及びジョイスティックの配置。
【請求項１２】
電子装置の本体の側面に配置されたディスプレイの部分は保護カバーにより全体的又は部分的に保護されている
ことを特徴とする請求項１１に記載の電子装置におけるタッチパッド、ディスプレイ、及びジョイスティックの配置。
【請求項１３】
保護カバー又は保護カバーの一部は透明又は半透明である
ことを特徴とする請求項１２に記載の電子装置におけるタッチパッド、ディスプレイ、及びジョイスティックの配置。
【請求項１４】
電子装置の本体の側面に配置されたディスプレイの一部は、厚みがより大きく、及び／又は、表面が凸形状を有し、及び／又は、材料がより硬く、
当該電子装置の本体の側面に配置されたディスプレイの一部は、タッチスクリーン式のディスプレイとして機能しないか、又は、当該電子装置のソフトウェアによりサポートされた或る操作をユーザが行うと、タッチスクリーン式のディスプレイとして機能を開始する
ことを特徴とする請求項１１又は１２に記載の電子装置におけるタッチパッド、ディスプレイ、及びジョイスティックの配置。
【発明の詳細な説明】
【技術分野】
【０００１】
２つからなる本願の一群の発明は電子装置に関し、また当該発明は電子装置におけるタッチパッド及び／又はディスプレイ及び／又はジョイスティックが配置されるように構成された発明である。
【背景技術】
【０００２】
後述する第１の発明に関連する背景技術として、タッチパッド、タッチスクリーン式のディスプレイ、及びジョイスティックが、電子装置の機能を制御するために広く使用されている。
【０００３】
タッチパッドは、電子装置に使用されることが知られており、電子装置の機能を制御するよう構成されている。詳細は非特許文献１を参照されたい。タッチスクリーン式のディスプレイは、指又は入力ペン又はスクリーン面上を動く他の物体により電子装置の機能を制御することが知られている。詳細は非特許文献２を参照されたい。
【０００４】
ジョイスティックも、電子装置の機能を制御するのに使用されることが知られている。詳細は非特許文献３を参照されたい。
【０００５】
本明細書で後述する発明に対する最近接の態様は、電子装置（例えば携帯電話）の本体におけるタッチパッドの配置方法である。詳細は非特許文献４を参照されたい。
【０００６】
上記方法の短所は、タッチパッドが電子装置の本体の側面に配置されており、このことが、ユーザが当該装置を保持している手でタッチパッドを操作するのを妨げていることである。
【０００７】
後述する第２の発明に関連する背景技術として、本体の相対する面の双方にディスプレイが配置された電子装置が知られている。詳細は非特許文献５を参照されたい。本明細書で後述する第２の発明の実施形態と比較し得る先行技術は見いだされなかった。
【先行技術文献】
【非特許文献】
【０００８】
【非特許文献１】URL:http://ru.wikipedia.org/wiki/Touchpad
【非特許文献２】URL:http://ru.wikipedia.org/wiki/Sensor_screen
【非特許文献３】URL:http://en.wikipedia.org/wiki/Joystick
【非特許文献４】URL:http://www.mobiledevice.ru/nibiru-andy-kurovets-nokia-Mobile-Phone-Concept-slaider-Camera-t.aspx
【非特許文献５】URL:http://allnokia.ru/news/11963/
【発明の概要】
【課題を解決するための手段】
【０００９】
第１の発明は、電子装置におけるタッチパッド又はジョイスティックの使い易い配置に対するものであり、１）１つ以上のタッチパッド又は１つのタッチパッドの少なくとも一部（１セクタ）或いは１つ以上のジョイスティック又は１つのジョイスティックの少なくとも一部を、これらが機能するべく、電子装置の本体の背面に配置するか、又は２）タッチパッド又はタッチパッドの一部（１セクタ）或いはジョイスティックを電子装置の本体の背面に部分的に配置するか、又は３）それ自体が１つ以上の屈曲部を有するタッチパッド又はタッチパッドの一部（１セクタ）を電子装置の本体の側面及び背面の双方に配置するか、又は４）タッチパッド又はタッチパッドの一部（１セクタ）を電子装置の本体の正面、側面、及び背面の夫々に配置するか、又は５）ジョイスティックを電子装置の本体の側面に配置するか、又は６）タッチパッド又はタッチパッドの一部（１セクタ）或いはジョイスティックを電子装置の本体に沿って動くように構成するか、又は７）１つ以上のセクタをタッチパッド又はタッチパッドの一部或いはタッチスクリーン式のディスプレイ上に形成し、及び／又はａ）タッチパッド又はタッチパッドの一部（１セクタ）を部分的又は全体的に凸形状に構成し、及び／又はｂ）タッチパッド又はタッチパッドの一部（１セクタ）或いはジョイスティックをカバーで保護し、及び／又はｃ）タッチパッド又はタッチパッドの一部（１セクタ）或いはジョイスティックを、カメラレンズ及び／又は一体型ビデオカメラレンズの保護カバーの代わりとするか、又は、カメラレンズ及び／又は一体型ビデオカメラレンズの保護カバー上に配置する。
【００１０】
第２の発明は、電子装置の本体の３つ以上の面、即ち、相対する２つの面及び１つ以上の側面に対するタッチスクリーン式のディスプレイの部分的又は全体的な配置に対するものである。
【００１１】
本明細書及び特許請求の範囲の記載内容に対する適切な理解及び解釈のために下記の用語を使用する。
【００１２】
仮想シンボル制御（ＶＳＣ：Virtual Symbol Control）とは、例えばカーソル等の仮想シンボルの制御を通じて電子装置の機能の制御を可能ならしめるタッチパッド又はタッチスクリーン式のディスプレイ又はジョイスティックである。
【００１３】
タッチパッド（英語で、touchpad、trackpad）とは、電子装置のセンサパッドであり、例えばカーソル等の仮想シンボルの制御を通じて当該電子装置の機能が制御される。
【００１４】
タッチスクリーン式のディスプレイとは、電子装置のディスプレイ画面（モニター）であり、指及び／又は入力ペンをタッチスクリーン式のディスプレイの表面に接触させつつ動かすことによって電子装置の機能が制御される。
【００１５】
ジョイスティックとは、仮想シンボルを制御するための装置であり、歪みゲージジョイスティックを意味するとともに、ノートパソコンのマウスと等価でもある。ジョイスティックの他の種類として、トラックボール、ポインティングスティック、トラックポイント、ポイントスティック、トラックスティック、スティックポイント、その他等がある。
【００１６】
電子装置とは、携帯電話、スマートフォン、通信機、マルチメディア装置、ネットブック、ノートパソコン、コンピュータタブレット、電子ブック、デジタルカメラ、一体型ビデオカメラ、並びにタッチパッド及び／又はジョイスティック及び／又はタッチスクリーン式のディスプレイ全体又は部分を備えた他の電子装置である。
【００１７】
前述した技術上の帰結として下記の事項が達成される。
【００１８】
１．１つ以上のタッチパッド又は１つのタッチパッドの少なくとも一部（１セクタ）或いは１つ以上のジョイスティック又は１つのジョイスティックの少なくとも一部が電子装置の本体の背面に配置されて当該配置で機能するとともに、電子装置のユーザによるタッチパッド又はその一部（１セクタ）或いはジョイスティック又はその一部の操作を通じて、電子装置の本体の正面に配置された１つ以上のディスプレイに表示された１つ以上の仮想シンボルが制御されるか、又は、タッチパッド又はタッチパッドの一部（１セクタ）或いはジョイスティックが電子装置の本体の背面に部分的に配置されるか、又は、それ自体が１つ以上の屈曲部を有するタッチパッド又はタッチパッドの一部（１セクタ）が電子装置の本体の側面及び背面の双方に配置されるか、又は、タッチパッド又はタッチパッドの一部（１セクタ）が電子装置の本体の正面、側面、及び背面の夫々に配置されるか、又は、ジョイスティックが電子装置の本体の側面に配置されるか、又は、タッチパッド又はタッチパッドの一部（１セクタ）或いはジョイスティックが電子装置の本体に沿って動くように構成されるか、又は、１つ以上のセクタがタッチパッド又はタッチパッドの一部又はタッチスクリーン式のディスプレイ上に形成されて、電子装置の正面に配置された１つ以上のディスプレイに表示された１つ以上の仮想シンボルが当該セクタを通じて制御され、及び／又は、タッチパッド又はタッチパッドの一部（１セクタ）が部分的又は全体的に凸形状に構成され、及び／又は、タッチパッド又はその一部（１セクタ）或いはジョイスティックがカバーで保護され、及び／又は、タッチパッド又はその一部（１セクタ）或いはジョイスティックがカメラレンズ及び／又は一体型ビデオカメラレンズの保護カバーの代わりとされるか、又は、カメラレンズ及び／又は一体型ビデオカメラレンズの保護カバー上に配置される。
【００１９】
２．タッチパッド又はタッチパッドの一部（１セクタ）或いはジョイスティックは、ユーザが利用できるように、電子装置の本体の背面に対し、取り付けられるか、或いは、部分的又は全体的に組み込まれてもよい。
【００２０】
３．タッチパッド又はタッチパッドの一部（１セクタ）或いはジョイスティックは、電子装置の背面を部分的又は全体的に亘って配置され、当該タッチパッド又はタッチパッドの一部或いはジョイスティックは、電子装置の本体に対し、既知の技術で接続されてもよい。
【００２１】
４．タッチパッド又はタッチパッドの一部（１セクタ）或いはジョイスティックと電子装置とは、有線の接続及び／又は電波又は別の無線の通信を介して、機能上の相互連絡をしてもよい。
【００２２】
５．ノートパソコン又はネットブックは、当該ノートパソコン又はネットブックの本体の下面に、タッチパッド又はタッチパッドの一部（１セクタ）或いはジョイスティックが配置されてもよい。
【００２３】
６．タッチパッド又はタッチパッドの一部或いはタッチスクリーン式のディスプレイのいずれかのセクタの表面面積は、タッチパッド又はタッチスクリーン式のディスプレイ自体の表面面積より小さく、タッチパッドのセクタ又はタッチスクリーン式のディスプレイのセクタの数及びサイズ、配置、構成、並びに操作アルゴリズムは、既知の技術を通じて変更されてもよい。
【００２４】
７．電子装置の本体の正面のディスプレイの表面面積は、当該電子装置の本体の背面に配置されたタッチパッド又はタッチスクリーン式のディスプレイの表面面積以上であってもよい。
【００２５】
８．セクタ及び／又はセクタが設けられたタッチスクリーン式のディスプレイは、照明を部分的又は全体的にオフする、或いは、照明を別の省エネモードに変更する、という選択肢を有してもよい。
【００２６】
９．タッチパッド又はタッチパッドの一部（１セクタ）を環境暴露から保護するべく、追加のディスプレイが電子装置に設けられ、タッチパッドにアクセスするべく当該追加のディスプレイを脇へ移動させてもよい。
【００２７】
１０．電子装置における相対する２つの面及び１つ以上の側面たる、本体の３つ以上の面に対し、部分的又は全体的にタッチスクリーン式のディスプレイである１つのディスプレイを配置し、当該ディスプレイに表示された１つ以上の仮想シンボルは当該タッチスクリーン式のディスプレイ上の操作により制御されてもよい。
【００２８】
１１．制御される１つ以上の仮想シンボルは、電子装置における操作を行う面と相対する面に配置されたディスプレイの部分に表示されてもよい。
【００２９】
１２．電子装置の本体の側面に配置されたディスプレイの部分は保護カバーにより全体的又は部分的に保護されてもよい。
【００３０】
１３．保護カバー又は保護カバーの一部は透明又は半透明であってもよい。
【００３１】
１４．電子装置の本体の側面に配置されたディスプレイの一部は、厚みがより大きく、及び／又は、表面が凸形状を有し、及び／又は、材料がより硬く、当該電子装置の本体の側面に配置されたディスプレイの一部は、タッチスクリーン式のディスプレイとして機能しないか、又は、当該電子装置のソフトウェアによりサポートされた或る操作をユーザが行うと、タッチスクリーン式のディスプレイとして機能を開始してもよい。
【発明を実施するための形態】
【００３２】
本願の第１及び第２の発明は、前述した技術の適用により実現できるため、実施可能である。
【産業上の利用可能性】
【００３３】
２つからなる本願の一群の発明は、電子装置におけるタッチパッド及び／又はタッチスクリーン式のディスプレイ及び／又はジョイスティックの使い易い配置のために適用可能である。
【国際調査報告】
2013506901.tif 000002
2013506901.tif 000003
2013506901.tif 000004
2013506901.tif 000005